(57)【要約】【課題】作業効率良く火源の探索をすることのできる移動式煙検出装置を提供する【解決手段】本発明に係る移動式煙検出装置１は、可搬型の本体部５と、本体部５に接続されて空気を吸引するためのサンプリング管３を有する移動式煙検出装置１であって、本体部５は、導入された煙の検出を行う検煙部１１と、検煙部１１で検出された煙濃度に関する情報を外部へ発信する発信情報として作成する発信情報作成部４１を有する制御部２１と、発信情報作成部４１で作成された発信情報を有線又は無線信号によって発信する発信部２３とを備え、サンプリング管３は、発信部２３から送信される信号を受信して発信情報を表示する表示器を備えていることを特徴とするものである。【選択図】  図１
2017102558.tif 000002
【特許請求の範囲】
【請求項１】
可搬型の本体部と、該本体部に接続されて空気を吸引するためのサンプリング管を有する移動式煙検出装置であって、
前記本体部は、導入された煙の検出を行う検煙部と、該検煙部で検出された煙濃度に関する情報を外部へ発信する発信情報として作成する発信情報作成部を有する制御部と、該発信情報を有線又は無線信号によって発信する発信部とを備え、
前記サンプリング管は、前記発信部から送信される信号を受信して発信情報を表示する表示器を備えていることを特徴とする移動式煙検出装置。
【請求項２】
前記表示器は、前記サンプリング管に取付部を介して着脱可能に取り付けられていることを特徴とする請求項１記載の移動式煙検出装置。
【請求項３】
前記取付部は、前記表示器を保持する保持部と、該保持部を傾動可能に前記サンプリング管に接続する接続部を備えてなることを特徴とする請求項２記載の移動式煙検出装置。
【請求項４】
前記表示器は、前記発信部から所定の情報を受信した際に振動するバイブレーション手段を備えていることを特徴とする請求項１乃至３のいずれか一項に記載の移動式煙検出装置。
【発明の詳細な説明】
【技術分野】
【０００１】
本発明は、防護空間を移動しながら煙を検出する移動式煙検出装置に関する。
【背景技術】
【０００２】
サーバー等の重要なコンピュータや精密機械等が設置される特殊な部屋においては、火災等をできるだけ早期に発見して設置されている機器類を損傷から保護したいという強い要請がある。このため、天井面等に設置される一般的な煙感知器に加えて、サンプリング管によって雰囲気（空気）を吸入して煙の検出を行う超高感度型の固定型の煙検出装置が設置されている。
【０００３】
このような超高感度型の煙検出装置は、監視エリア内に複数の吸入口が設けられたサンプリング管を本体に接続し、サンプリング管は火源となり易い箇所に吸入口を向けて配設されている（特許文献１参照）。
煙検出装置は火災を監視するサーバー室等に設置され、そして、煙検出装置は管理室に設置されている火災受信機に有線で接続されており、煙が検出されると管理者に警報が報知されるようになっている。
【０００４】
サーバー室に設置された煙検出装置から警報が報知されると、管理者はサーバー室に行き、火源を探知することになる。この場合、目視と臭いで火源を探知することが行われていたが、より確実に火源の場所特定を行うために、特許文献２に開示されたような移動式煙検出装置が提案されている。
【０００５】
特許文献２に開示された移動式煙検出装置は、サンプリング管を介して吸引した空気中に含まれる煙を検出する吸引式の煙検出装置本体をショルダーストラップによって肩掛けして用いるというものである。
【先行技術文献】
【特許文献】
【０００６】
【特許文献１】特開２０１４−５２７９０号公報
【特許文献２】特開２０１５−６９６２６号公報
【発明の概要】
【発明が解決しようとする課題】
【０００７】
移動式煙検出装置による煙発生場所の特定は、図８に示すように、複数のサーバーラック５３、空調機５５、固定式煙検出装置５７等が設置されたサーバー室５９において、サーバーラック５３にサンプリング管６１を向けて雰囲気を吸入し、その検出結果をショルダーストラップ６３で肩掛けしている移動式煙検出装置５１の表示部を確認して行われる。
しかし、サンプリング管の吸入口を所定の位置に向け、目線を表示部に移して確認しなければならず、作業効率が悪いという問題がある。
【０００８】
本発明はかかる課題を解決するためになされたものであり、作業効率良く火源の探索をすることのできる移動式煙検出装置を提供することを目的としている。
【課題を解決するための手段】
【０００９】
（１）本発明に係る移動式煙検出装置は、可搬型の本体部と、該本体部に接続されて空気を吸引するためのサンプリング管を有する移動式煙検出装置であって、前記本体部は、導入された煙の検出を行う検煙部と、該検煙部で検出された煙濃度に関する情報を外部へ発信する発信情報として作成する発信情報作成部を有する制御部と、該発信情報作成部で作成された発信情報を有線又は無線信号によって発信する発信部とを備え、前記サンプリング管は、前記発信部から送信される信号を受信して発信情報を表示する表示器を備えていることを特徴とするものである。
【００１０】
（２）また、上記（１）に記載のものにおいて、前記表示器は、前記サンプリング管に取付部を介して着脱可能に取り付けられていることを特徴とするものである。
【００１１】
（３）また、上記（２）に記載のものにおいて、前記取付部は、前記表示器を保持する保持部と、該保持部を傾動可能に前記サンプリング管に接続する接続部を備えてなることを特徴とするものである。
【００１２】
（４）また、上記（１）乃至（３）のいずれかに記載のものにおいて、前記表示器は、前記発信部から所定の情報を受信した際に振動するバイブレーション手段を備えていることを特徴とするものである。
【発明の効果】
【００１３】
本発明に係る移動式煙検出装置は、可搬型の本体部と、該本体部に接続されて空気を吸引するためのサンプリング管を有するものであって、前記本体部は、導入された煙の検出を行う検煙部と、該検煙部で検出された煙の濃度に関する情報を外部へ発信する発信情報として作成する発信情報作成部を有する制御部と、該発信情報作成部で作成された発信情報を有線又は無線信号によって発信する発信部とを備え、前記サンプリング管は、前記発信部から送信される信号を受信して発信情報を表示する表示器を備えていることにより、サンプリング管の吸入口を火源に向けながら検出結果を目視確認できるので、作業効率良く火源の探索をすることができる。
【図面の簡単な説明】
【００１４】
【図１】本発明の一実施の形態に係る移動式煙検出装置の外観の説明図である。
【図２】図１に示した移動式煙検出装置のサンプリング管の一部を拡大して示す図である。
【図３】本発明の一実施の形態に係る移動式煙検出装置の内部構造の説明図である。
【図４】図１に示した移動式煙検出装置の制御部及び携帯型端末器の説明図である。
【図５】本発明の一実施の形態における携帯型端末器の表示例の説明図である（その１）。
【図６】本発明の一実施の形態における携帯型端末器の表示例の説明図である（その２）。
【図７】本発明の一実施の形態における携帯型端末器の表示例の説明図である（その３）。
【図８】発明が解決しようとする課題の説明図である。
【発明を実施するための形態】
【００１５】
本実施の形態に係る移動式煙検出装置１は、図１に示すように、先端側に吸入口３ａを有するサンプリング管３が接続された可搬式の本体部５を有し、本体部５を持って移動しながらサンプリング管３から空気を吸入することで煙を検出するものである。
【００１６】
＜本体部＞
本体部５は、筺体に設けられたフック部６に図示しないショルダーベルトを装着して、作業者が携帯できる。
本体部５の前面には、図１に示されるように、煙濃度を示すバーグラフ７や、アラーム表示８等が設けられている。
【００１７】
また、本体部５の内部には、図３に示すように、サンプリング管３を介して吸入された煙を本体部５内に導入する煙導入路９、煙導入路９の途中に設けられたフィルタ１０、フィルタ１０を通過した煙を検煙部１１に導入するための煙導入管１３、検煙部１１から煙を排出するための煙排出管１５、煙排出管１５と煙導入路９とを連結すると共に煙の吸引をするための吸引管１７、吸引管１７に設けられた吸引用のファン１９を備えている。
また、検煙部１１での煙検出情報等を出力する制御部２１、制御部２１にて出力される情報を無線で発信する発信部２３、各部に電源を供給する電源部２５が設けられている。
【００１８】
検煙部１１には、光を発する発光部２７、煙による散乱光を受光する受光部２９、光トラップ３１が設けられた遮光部３３が設けられている。
受光部２９に散乱光が受光されるとその情報が制御部２１に出力され、発信部２３を介して無線送信される。
【００１９】
制御部２１は、図４に示すように、検煙部１１の煙検出濃度を判別する煙濃度検出部３５と、煙濃度検出部３５の検出値に基づいてアラームを作成するアラーム作成部３７と、機器内に生じた異常状態を検出する異常状態検出部３９と、無線によって発信する情報を作成する発信情報作成部４１を有している。
アラーム作成部３７は、検出した煙の量に応じて各種の文字情報を作成し、例えば検出した煙の量が所定量より多い場合（即ち、煙濃度が第１の閾値より高い場合）には「警戒」、煙が検出されないか、あるいは極めて少ない場合（即ち、煙濃度が第２の閾値より低い場合）には「正常」、煙が検出されたが「警戒」で規定される量よりは少ない場合（即ち、煙濃度が第２の閾値より高く、第１の閾値より低い場合）には「注意」というように３段階の文字情報を作成する。なお、第１の閾値の煙濃度は、例えば０．５％／ｍであり、第２の閾値の煙濃度は、例えば０．２％／ｍである。
異常状態検出部３９は、煙検出装置１の異常を検出するもので、例えばファン１９による吸入量が通常時よりも少なくなっているような場合を検出する。
【００２０】
発信情報作成部４１は、アラーム作成部３７で作成されたアラームに関する情報及び異常状態検出部３９で検出された異常状態に関する情報を発信情報として作成する。
【００２１】
発信部２３は、制御部２１から受信した情報を無線信号によって発信する。
発信部２３は、デジタル機器用の近距離無線通信規格の1つであるBluetooth（ブルーツース：登録商標）信号を発信するものを利用することができるが、これに限られず、例えばＷｉ−Ｆｉなどでもよい。
【００２２】
＜サンプリング管＞
サンプリング管３はその基端側が、本体部５のサンプリング管接続部４２によって向きを自在に変えられるように接続されている。
サンプリング管３には、作業者が持つグリップ部４３が設けられ、グリップ部４３の少し先端側に表示器の一態様である携帯型端末器４４を着脱可能に取り付ける取付部４５が設けられている。取付部４５のさらに先端側は探索時に自在に撓む可撓性部４６が設けられ、さらにその先端側に吸入口３ａが設けられている。
取付部４５は、図１、図２に示すように、携帯型端末器４４を保持する保持部４５ａと、保持部４５ａを傾動可能にサンプリング管３に接続する接続部４５ｂを備えている。なお、保持部４５ａはいずれの角度にも調整できることが望ましいが、少なくともサンプリング管３の基端側に傾斜し、作業者が後述する携帯端末機４４の画面４９を目視できる角度に傾動できれば良い。
【００２３】
＜携帯型端末器＞
携帯型端末器４４は本体部５から無線によって発信される情報を表示するものであり、図４に示すように、発信部２３から発信される無線信号を受信する受信部４７と、受信部４７で受信された情報を文字及び／又は画像として画面４９に表示する表示部５０とを備えている。
携帯型端末器４４の種類は特に問わず、市販されている携帯電話、携帯情報端末、スマートフォン等によって構成することができる。
もっとも、携帯型端末器４４には、発信部２３から送信された信号を受信して、送信された情報を画面４９へ表示するためのアプリケーションを備える必要がある。
画面４９への表示例として、前述した「警戒」、「正常」及び「注意」の画面４９への表示例をそれぞれ図５、図６及び図７に示す。
【００２４】
以上のように構成された本実施の形態の移動式煙検出装置１の動作を説明する。
固定式の煙検出装置から煙の検出がされた旨の通知が管理室に発信されると作業者は、移動式煙検出装置１を持って警報を発した固定式の煙検出装置が設置されている室内に向かう。
【００２５】
作業者は現場に到着すると、サンプリング管３を火源と思われる箇所に向けて探索を開始する。その際に、携帯型端末器４４がサンプリング管３に取り付けられているので、サンプリング管３を任意の位置に向けた状態で画面４９を目視可能であり、そのため検出情報を即座に確認することができ、探索作業を極めてスムーズに行うことができる。
特に、移動式煙検出装置１は超高感度であり、目視できないような煙を検出しているので、吸入口３ａが微妙に移動した際の検出結果を吸入口３ａから目を離すことなくリアルタイムかつ詳細な情報を確認できることで、正確な探索が可能となっている。
【００２６】
なお、上記の説明では、サンプリング管３に設けられている表示器を携帯型端末器４４で構成し、かつ着脱可能で、傾動可能にした例を示したが、本発明はこれに限られるものではなく、以下に示す態様のものを含む。
本発明に係る表示器は、サンプリング管３に着脱できるものでなくてもよく、サンプリング管３に固定されているものであってもよい。
また、本発明に係る表示器は、着脱できる場合であっても、傾動可能になっていないものも含む。
【００２７】
また、上記の実施の形態では、本体部５の発信部２３が無線信号を発信する例を示したが、本発明はこれに限られるものではなく、発信部２３から有線で表示部５０に情報を送信するようにしてもよい。
【００２８】
なお、上記の説明では、表示器に示される検出結果を目で確認するものであったが、表示器が所定の情報を受信した際に振動するバイブレーション手段を備えるようにすればより好ましく、煙濃度の上昇に応じてバイブレーション手段による振動の強度を強くするようにするとなお良い。
この場合、作業者はサンプリング管３の吸入口３ａの位置に細心の注意を払いながら探索を行い、サンプリング管３に振動が発生したときに表示器を見るようにすればよく、作業性がさらに向上し、より迅速な火源探索が可能となる。
【符号の説明】
【００２９】
１  移動式煙検出装置
３  サンプリング管
３ａ  吸入口
５  本体部
６  フック部
７  バーグラフ
８  アラーム表示
９  煙導入路
１０  フィルタ
１１  検煙部
１３  煙導入管
１５  煙排出管
１７  吸引管
１９  ファン
２１  制御部
２３  発信部
２５  電源部
２７  発光部
２９  受光部
３１  光トラップ
３３  遮光部
３５  煙濃度検出部
３７  アラーム作成部
３９  異常状態検出部
４１  発信情報作成部
４２  サンプリング管接続部
４３  グリップ部
４４  携帯型端末器
４５  取付部
４５ａ  保持部
４５ｂ  接続部
４６  可撓性部
４７  受信部
４９  画面
５０  表示部
５１  移動式煙検出装置
５３  サーバーラック
５５  空調機
５７  固定式煙検出装置
５９  サーバー室
６１  サンプリング管（従来例）
６３  ショルダーストラップ
６５  煙検出装置本体
【図１】
2017102558.tif 000003
【図２】
2017102558.tif 000004
【図３】
2017102558.tif 000005
【図４】
2017102558.tif 000006
【図５】
2017102558.tif 000007
【図６】
2017102558.tif 000008
【図７】
2017102558.tif 000009
【図８】
2017102558.tif 000010